(57)【要約】【課題】部材同士を固定する際に、所定の位置に容易に位置決め可能で、かつ、部品点数の増加を抑制することが可能な撮像装置を提供する。【解決手段】このビデオカメラ（撮像装置）１０は、撮像素子２５が取り付けられ、位置決め用ボス部２２ａを有する撮像素子取付部２２と、撮像素子取付部２２を移動させるためのステッピングモータ２６ｆと、ステッピングモータ２６ｆに連結され、位置決め用ボス部２２ａに係合する位置決め用穴部２６ｃを有するとともに、撮像素子取付部２２にステッピングモータ２６ｆからの動力を伝えるための伝達アーム部材２６と、伝達アーム部材２６を撮像素子取付部２２に固定するための１つのネジ部材２７とを備える。また、撮像素子取付部２２と伝達アーム部材２６とは、位置決め用ボス部２２ａと位置決め用穴部２６ｃとが係合された状態で、１つのネジ部材２７によって固定されている。【選択図】図６
2009080355.tif 000002
【特許請求の範囲】
【請求項１】
撮像素子が取り付けられ、第１位置決め用係合部を有する撮像素子取付部と、
前記撮像素子取付部を移動させるための駆動源と、
前記駆動源に連結され、前記第１位置決め用係合部に係合する第２位置決め用係合部を有するとともに、前記撮像素子取付部に前記駆動源からの動力を伝えるための伝達部材と、
前記伝達部材を前記撮像素子取付部に固定するための１つのネジ部材とを備え、
前記撮像素子取付部と前記伝達部材とは、前記第１位置決め用係合部と前記第２位置決め用係合部とが係合された状態で、前記１つのネジ部材によって固定されている、撮像装置。
【請求項２】
前記第１位置決め用係合部および前記第２位置決め用係合部のいずれか一方は、ボス部を含み、
前記第１位置決め用係合部および前記第２位置決め用係合部の他方は、穴部を含み、
前記ボス部が前記穴部に挿入されることにより前記伝達部材が前記撮像素子取付部に対して位置決めされるように構成されている、請求項１に記載の撮像装置。
【請求項３】
前記撮像素子取付部の前記第１位置決め用係合部は、前記ボス部を含み、
前記伝達部材の前記第２位置決め用係合部は、前記穴部を含み、
前記ボス部が前記穴部に挿入されることにより位置決めされるように構成されている、請求項１に記載の撮像装置。
【請求項４】
前記ボス部は、第１ボス部および第２ボス部を含み、
前記穴部は、真円形状の第１穴部および楕円形状の第２穴部を含み、
前記第１穴部および前記第２穴部は、それぞれ前記第１ボス部および前記第２ボス部に挿入され、
前記第２穴部は、前記第１穴部と前記第２穴部とを結ぶ線上に沿って楕円状に延びるように形成されている、請求項２または３に記載の撮像装置。
【請求項５】
前記伝達部材を付勢するためのバネ部材をさらに備え、
前記伝達部材は、前記バネ部材の一方端を取り付けるためのバネ取付部を含む、請求項１〜４のいずれか１項に記載の撮像装置。
【発明の詳細な説明】
【技術分野】
【０００１】
この発明は、撮像装置に関し、特に、撮像素子を備えた撮像装置に関する。
【背景技術】
【０００２】
従来、撮像装置においては、撮像素子を備えた撮像装置が知られている（たとえば、特許文献１〜３参照）。
【０００３】
上記特許文献１には、撮像素子などが設けられた撮像ユニットと、撮像ユニットを駆動させるための駆動源と、撮像ユニットと駆動源とを連結するためのリンク部材とを備えた撮像装置が開示されている。この撮像装置では、撮像ユニットとリンク部材とが固定されている。固定方法に関しては記載されていないが、接着剤などを使用していると考えられる。また、リンク部材の撮像ユニットに対する配置位置に関しては記載されているが、具体的な位置決め方法に関しては記載されていない。
【０００４】
また、上記特許文献２には、配線基板および撮像素子が設けられた撮像手段と、駆動源として機能する変位量制御装置と、撮像手段および変位量制御装置を連結するための連結部材とを備えた撮像装置が開示されている。この撮像装置では、連結部材と撮像部とを固定している。この固定方法に関しては記載されていないが、接着剤などを使用していると考えられる。また、撮像手段と変位量制御装置とは、所定の位置に固定的に配置されているが、具体的な位置決め方法に関しては記載されていない。
【０００５】
また、上記特許文献３には、撮像素子であるＣＣＤ（Ｃｈａｒｇｅ  Ｃｏｕｐｌｅｄ  Ｄｅｖｉｃｅｓ）を保持するための保持部材と、保持部材を駆動させるためのヨークを含む駆動源と、保持部材とヨークとを連結するためのリンク部材と、保持部材およびリンク部材を固定するための連結ピンとを備えた撮像装置が開示されている。この撮像装置では、保持部材とリンク部材とは複数の連結ピンにより固定されている。
【０００６】
【特許文献１】特開２００６−３３７４６１号公報
【特許文献２】特開２００４−８０６６５号公報
【特許文献３】特開２００７−１３６６１号公報
【発明の開示】
【発明が解決しようとする課題】
【０００７】
しかしながら、上記特許文献１に記載の撮像装置では、撮像ユニットとリンク部材とを固定する方法として接着剤を使用する場合には、接着剤を乾燥させるための作業時間分だけ固定作業の時間が増加するという問題点があると考えられる。また、上記特許文献１には、撮像ユニットとリンク部材とを配置位置に位置決めする方法は記載されていないため、撮像ユニットとリンク部材とを容易に配置位置に位置決めできないという問題点があると考えられる。
【０００８】
また、上記特許文献２に記載の撮像装置では、連結部材と撮像部とを固定する方法として接着剤を使用する場合には、接着剤を乾燥させるための作業時間分だけ固定作業の時間が増加するという問題点がある。また、上記特許文献２には、撮像手段と変位量制御装置とを所定の位置に位置決めする方法は記載されていないため、撮像手段と変位量制御装置とを容易に所定の位置に位置決めできないという問題点があると考えられる。
【０００９】
また、上記特許文献３に記載の撮像装置では、保持部材とリンク部材とを複数個の連結ピンにより固定するため、部品点数が増加するという問題点がある。
【００１０】
この発明は、上記のような課題を解決するためになされたものであり、この発明の１つの目的は、部材同士を固定する際に、所定の位置に容易に位置決め可能で、かつ、部品点数の増加を抑制することが可能な撮像装置を提供することである。
【課題を解決するための手段および発明の効果】
【００１１】
この発明の一の局面による撮像装置は、撮像素子が取り付けられ、第１位置決め用係合部を有する撮像素子取付部と、撮像素子取付部を移動させるための駆動源と、駆動源に連結され、第１位置決め用係合部に係合する第２位置決め用係合部を有するとともに、撮像素子取付部に駆動源からの動力を伝えるための伝達部材と、伝達部材を撮像素子取付部に固定するための１つのネジ部材とを備え、撮像素子取付部と伝達部材とは、第１位置決め用係合部と第２位置決め用係合部とが係合された状態で、１つのネジ部材によって固定されている。
【００１２】
この一の局面による撮像装置では、上記のように、撮像素子取付部と伝達部材とは、第１位置決め用係合部と第２位置決め用係合部とが係合された状態で、ネジ部材によって固定することによって、第１位置決め用係合部と第２位置決め用係合部とを係合させるだけで、撮像素子取付部と伝達部材とを所定の位置に位置決めすることができる。また、撮像素子取付部と伝達部材とを１つのネジ部材によって固定するだけで、撮像素子取付部と伝達部材とを固定することができるので、部品点数の増加を抑制することができる。
【００１３】
上記一の局面による撮像装置において、好ましくは、第１位置決め用係合部および第２位置決め用係合部のいずれか一方は、ボス部を含み、第１位置決め用係合部および第２位置決め用係合部の他方は、穴部を含み、ボス部が穴部に挿入されることにより伝達部材が撮像素子取付部に対して位置決めされるように構成されている。このように構成すれば、ボス部が穴部に挿入されるように伝達部材を配置することにより、容易に撮像素子取付部に対して伝達部材を所定の位置に位置決めすることができる。
【００１４】
上記一の局面による撮像装置において、好ましくは、撮像素子取付部の第１位置決め用係合部は、ボス部を含み、伝達部材の前記第２位置決め用係合部は、穴部を含み、ボス部が穴部に挿入されることにより位置決めされるように構成されている。このように構成すれば、撮像素子取付部のボス部が伝達部材の穴部に挿入されるように伝達部材を配置することにより、容易に、撮像素子取付部に対して伝達部材を所定の位置に位置決めすることができる。
【００１５】
上記ボス部および穴部を含む撮像装置において、好ましくは、ボス部は、第１ボス部および第２ボス部を含み、穴部は、真円形状の第１穴部および楕円形状の第２穴部を含み、第１穴部および第２穴部は、それぞれ第１ボス部および第２ボス部に挿入され、第２穴部は、第１穴部と第２穴部とを結ぶ線上に沿って楕円状に延びるように形成されている。このように構成すれば、第１ボス部および第２ボス部の位置が、寸法精度のばらつきに起因して設計位置からずれた場合でも、第２穴部を楕円形状に形成することによって、第２ボス部の位置の設計位置に対するずれ量を吸収することができる。この結果、容易にボス部を穴部に挿入することができる。
【００１６】
上記一の局面による撮像装置において、好ましくは、伝達部材を付勢するためのバネ部材をさらに備え、伝達部材は、バネ部材の一方端を取り付けるためのバネ取付部を含む。このように構成すれば、バネ部材の一方端を伝達部材のバネ取付部に取り付けることができる。また、バネ部材の他方端を他の部材のバネ取付部に取り付けることによって、バネ部材に加わる付勢力を利用して、伝達部材を移動させることができる。
【発明を実施するための最良の形態】
【００１７】
以下、本発明を具体化した実施形態を図面に基づいて説明する。
【００１８】
図１は、本発明の一実施形態におけるビデオカメラの全体構成を示した斜視図である。図２は、図１に示した本発明の一実施形態におけるビデオカメラの全体構成を別方向から見た場合の斜視図である。図３〜図７は、本発明の一実施形態におけるビデオカメラの撮像部の詳細を示す図である。まず、図１〜図７を参照して、本発明の一実施形態によるビデオカメラ１０の構造を説明する。なお、本実施形態では、撮像装置の一例であるビデオカメラ１０に本発明を適用した場合について説明する。
【００１９】
本発明の一実施形態におけるビデオカメラ１０では、図１および図２に示すように、樹脂製の筐体１１に、複数の光学レンズ１２が内部に収納された鏡筒１３と、ストロボ１４と、内蔵マイク１５と、ビデオテープ（図示せず）が着脱可能に装着されるビデオカセット部１６と、映像を録画する際に使用される録画／再生ボタン１７と、静止画像を録画する際に使用されるフォトボタン１８と、ファインダ１９と、録画時の映像を画面表示可能な液晶モニタ２０と、撮像部２１とが設けられている。
【００２０】
また、図１および図２に示すように、複数の光学レンズ１２が収納された鏡筒１３は、筐体１１の正面側から外部に水平に突出されるように構成されている。また、ストロボ１４は、撮影時に補助光として発光する機能を有している。また、内蔵マイク１５は、撮影時（録画時）に被写体周辺の音を収集する機能を有している。また、録画／再生ボタン１７は、ユーザが撮影時に押圧することによって、ビデオカメラ１０の撮像部２１が撮影した映像をビデオテープ（図示せず）に録画する動作を開始するとともに、録画終了時には、ビデオテープ（図示せず）への録画を停止する機能を有している。また、フォトボタン１８は、ユーザが撮影時に押圧することにより、押圧された際に撮像部２１によって撮影されていた映像を静止画像として録画する機能を有する。また、ファインダ１９および筐体１１から開閉可能に開けられる液晶モニタ２０は、ユーザがファインダ１９および液晶モニタ２０のいずれか、またはその両方を通して被写体を見ながら、撮影範囲を決定することが可能なように構成されている。
【００２１】
また、図３〜図５に示すように、撮像部２１は、樹脂製の撮像素子取付部２２と、ガラス製のレンズ部材２３と、ゴムなどからなるパッキン部材２４と、ＣＣＤ（Ｃｈａｒｇｅ  Ｃｏｕｐｌｅｄ  Ｄｅｖｉｃｅｓ）などからなる撮像素子２５と、金属製（板金製）の伝達アーム部材２６と、ネジ部材２７と、バネ部材２８および２９と、樹脂製の保持部材３０と、樹脂製の固定部材３１とから構成されている。なお、伝達アーム部材２６は、本発明の「伝達部材」の一例である。
【００２２】
また、図５〜図７に示すように、撮像素子取付部２２は、位置決め用ボス部２２ａと、ネジ取付穴２２ｂと、レンズ部材取付面２２ｃと、撮像素子取付面２２ｄと、シャフト挿入穴２２ｅとを備えている。また、位置決め用ボス部２２ａは、第１位置決め用ボス部２２１ａと、第２位置決め用ボス部２２１ｂとを含んでいる。なお、位置決め用ボス部２２ａは、本発明の「第１位置決め用係合部」の一例である。
【００２３】
ここで、本実施形態では、図５に示すように、第１位置決め用ボス部２２１ａおよび第２位置決め用ボス部２２１ｂは、撮像素子取付部２２の最上面から垂直上方に延びるように撮像素子取付部２２に一体的に設けられている。また、第１位置決め用ボス部２２１ａおよび第２位置決め用ボス部２２１ｂは、撮像素子取付部２２から伝達アーム部材２６の方向に向かって位置決め用ボス部２２ａの直径が小さくなるような、いわゆる、テーパー形状（裁頭円錐形状）を有している。また、ネジ取付穴２２ｂは、円形状を有し、内面にネジ山が設けられている。また、レンズ部材取付面２２ｃおよび撮像素子取付面２２ｄには、それぞれ、レンズ部材２３および撮像素子２５が当接された状態で取り付けられるように構成されている。シャフト挿入穴２２ｅは、後述するスライドシャフト３０ｂを挿入するために形成されている。また、シャフト挿入穴２２ｅの内径は、シャフト挿入穴２２ｅがスライドシャフト３０ｂ上を摺動可能なように、スライドシャフト３０ｂの直径よりも若干大きく形成されている。
【００２４】
また、伝達アーム部材２６は、取付部２６ａと、駆動力伝達部２６ｂと、２つの位置決め用穴部２６ｃと、ネジ挿入穴２６ｄと、モータ取付部２６ｅと、ステッピングモータ２６ｆと、ナット部材２６ｇと、バネ取付部２６ｈとを備えている。なお、位置決め用穴部２６ｃは、本発明の「第２位置決め用係合部」の一例であり、ステッピングモータ２６ｆは、本発明の「駆動源」の一例である。
【００２５】
ここで、本実施形態では、図３〜図７に示すように、伝達アーム部材２６は、平面的に見て実質的にＬ字形状を有している。また、伝達アーム部材２６の２つの位置決め用穴部２６ｃは、ネジ挿入穴２６ｄを挟むようにして取付部２６ａに形成されている。また、伝達アーム部材２６の位置決め用穴部２６ｃは、第１位置決め用穴部２６１ａと第２位置決め用穴部２６１ｂとを含んでいる。第１位置決め用穴部２６１ａは、真円形状に形成されている。第２位置決め用穴部２６１ｂは、第１位置決め用穴部２６１ａと第２位置決め用穴部２６１ｂとを結ぶ線上に沿って楕円状に延びるように形成されている。また、ネジ挿入穴２６ｄは、円形状を有し、取付部２６ａの表面に形成されている。また、伝達アーム部材２６のモータ取付部２６ｅは、駆動力伝達部２６ｂの裏面から垂直下方に延びるように駆動力伝達部２６ｂに形成されている。
【００２６】
また、第２位置決め用ボス部２２１ｂは、上述した楕円形状の第２位置決め用穴部２６１ｂの直径の短軸が接する内面と当接するように配置されている。これにより、第１位置決め用穴部２６１ａを支点にして第２位置決め用穴部２６１ｂ側が時計回りに回動することを抑制している。
【００２７】
ここで、本実施形態では、図５〜図７に示すように、また、モータ取付部２６ｅは、正面から見て凹形状に形成されている。また、ステッピングモータ２６ｆは、撮像素子取付部２２を移動させるために設けられている。このステッピングモータ２６ｆは、回転軸２６ｉを有し、モータ取付部２６ｅに設けられている。また、ナット部材２６ｇは、内面にネジ部を有している。また、回転軸２６ｉの先端にはネジ部が設けられている。この回転軸２６ｉのネジ部は、モータ取付部２６ｅを介してナット部材２６ｇのネジ部と螺合している。
【００２８】
また、本実施形態では、バネ取付部２６ｈは、伝達アーム部材２６のモータ取付部２６ｅと逆側の端部に設けられている。このバネ取付部２６ｈは、平面的に見てＬ字形状のフック状に形成されている。
【００２９】
また、本実施形態では、図５〜図７に示すように、ネジ部材２７は、伝達アーム部材２６のネジ挿入穴２６ｄを介して撮像素子取付部２２のネジ取付穴２２ｂに締結されている。これにより、伝達アーム部材２６は、撮像素子取付部２２に移動しないように固定されている。また、バネ部材２８の一方端２８ａは、バネ取付部２６ｈに取り付けられている。また、バネ部材２８の他方端２８ｂは、後述する、固定部材３１のバネ取付部３１ｃに取り付けられている。また、バネ部材２９の一方端２９ａは、バネ取付部３０ｆに取り付けられている。また、バネ部材２９の他方端２９ｂは、後述する、固定部材３１のバネ取付部３１ｄに取り付けられている。
【００３０】
また、樹脂製の保持部材３０は、シャフト挿入穴３０ａと、スライドシャフト３０ｂと、モータ取付部３０ｃと、ステッピングモータ３０ｄと、ナット部材３０ｅと、バネ取付部３０ｆとを備えている。
【００３１】
また、図５に示すように、保持部材３０は、平面的に見て四角形状の枠状に形成されている。この保持部材３０は、スライドシャフト３０ｂに沿って移動可能に構成されている。また、６つのシャフト挿入穴３０ａは、円形状を有し、保持部材３０に形成されている。この６つのシャフト挿入穴３０ａは、保持部材３０の上面に対して水平方向に延びるように形成されている。また、スライドシャフト３０ｂは、円柱形状を有し、シャフト挿入穴３０ａに挿入されるように形成されている。
【００３２】
また、モータ取付部３０ｃは、凹形状を有し、保持部材３０の一辺の外側面に設けられている。また、ステッピングモータ３０ｄは、モータ取付部３０ｃに設けられている。このステッピングモータ３０ｄは、回転軸３０ｇを有している。また、ナット部材３０ｅは、内面にネジ部を有している。また、バネ取付部３０ｆは、保持部材３０のモータ取付部３０ｃが設けられている外側面と同じ外側面に設けられている。このバネ取付部３０ｆは、平面的に見てＬ字形状のフック形状に形成されている。また、回転軸３０ｇの先端にはネジ部が設けられている。この回転軸３０ｇのネジ部は、モータ取付部３０ｃを介してナット部材３０ｅのネジ部と螺合している。
【００３３】
また、固定部材３１は、シャフト挿入穴３１ａと、スライドシャフト３１ｂと、バネ取付部３１ｃおよび３１ｄとを備えている。
【００３４】
また、固定部材３１は、平面的に見て、四角形状の枠状に形成されている。この固定部材３１は、スライドシャフト３１ｂに沿って移動可能に構成されている。また、２つのシャフト挿入穴３１ａは、円形状を有し、固定部材３１に形成されている。この２つのシャフト挿入穴３１ａは、固定部材３１の上面に対して水平方向に延びるように形成されている。また、スライドシャフト３１ｂは、円柱形状を有し、シャフト挿入穴３１ａに挿入されるように形成されている。また、バネ取付部３１ｃは、固定部材３１の外側面から外側に突出するように設けられ、平面的に見てＬ字形状のフック形状に形成されている。また、バネ取付部３１ｄは、固定部材３１の内側面から内側に突出するように設けられ、平面的に見てＬ字形状のフック形状に形成されている。
【００３５】
次に、図５〜図７を参照して、本発明の一実施形態による撮像部２１の撮像素子取付部２２に伝達アーム部材２６を取り付ける手順について説明する。
【００３６】
まず、図５〜図７に示すように、レンズ部材２３、パッキン部材２４および撮像素子２５を、それぞれ、撮像素子取付部２２のレンズ部材取付面２２ｃおよび撮像素子取付面２２ｄに当接させて取り付ける。なお、パッキン部材２４は、レンズ部材２３に重ねるようにして取り付ける。
【００３７】
次に、伝達アーム部材２６の第１位置決め用穴部２６１ａおよび第２位置決め用穴部２６１ｂをそれぞれ撮像素子取付部２２の第１位置決め用ボス部２２１ａおよび第２位置決め用ボス部２２１ｂに係合させる。その後、ネジ部材２７をネジ挿入穴２６ｄを介して撮像素子取付部２２のネジ取付穴２２ｂに締め付けることによって、撮像素子取付部２２と伝達アーム部材２６とを固定する。また、モータ取付部２６ｅにステッピングモータ２６ｆの回転軸２６ｉを挿入し、回転軸２６ｉの先端のネジ部とナット部材２６ｇのネジ部とを螺合させる。
【００３８】
次に、図４を参照して、本発明の一実施形態による撮像部２１の動作について説明する。
【００３９】
まず、図４に示すように、伝達アーム部材２６は、ステッピングモータ２６ｆの回転軸２６ｉが時計方向に回転駆動することによって、回転軸２６ｉに螺合されたナット部材２６ｇがバネ部材２８の付勢力に抗して矢印Ｘ１方向に直線移動する。また、回転軸２６ｉが反時計方向に回転することによって、回転軸２６ｉに螺合されたナット部材２６ｇがバネ部材２８の付勢力によって矢印Ｘ２方向に直線移動される。
【００４０】
次に、保持部材３０は、ステッピングモータ３０ｄの回転軸３０ｇが時計方向に回転駆動することによって、回転軸３０ｇに螺合されたナット部材３０ｅがバネ部材２９の付勢力に抗して矢印Ｙ１方向に直線移動する。また、回転軸３０ｇが反時計方向に逆回転することによって、回転軸３０ｇに螺合されたナット部材３０ｅがバネ部材２９の付勢力によって矢印Ｙ２方向に直線移動される。
【００４１】
本実施形態では、上記のように、撮像素子取付部２２と伝達アーム部材２６とは、位置決め用ボス部２２ａと位置決め用穴部２６ｃとが係合された状態で、ネジ部材２７によって固定されることによって、位置決め用ボス部２２ａと位置決め用穴部２６ｃとを係合させるだけで、撮像素子取付部２２と伝達アーム部材２６とを所定の位置に位置決めすることができる。また、撮像素子取付部２２と伝達アーム部材２６とを１つのネジ部材２７により固定するだけで、撮像素子取付部２２と伝達アーム部材２６とを固定することができるので、部品点数の増加を抑制することが可能になる。
【００４２】
また、本実施形態では、上記のように、撮像素子取付部２２および伝達アーム部材２６のいずれか一方は、位置決め用ボス部２２ａを含み、撮像素子取付部２２および伝達アーム部材２６の他方は、位置決め用穴部２６ｃを含み、ボス部２２ａが穴部２６ｃに挿入されることにより伝達アーム部材２６が撮像素子取付部２２に対して位置決めされるように構成されている。このように構成すれば、撮像素子取付部２２および伝達アーム部材２６のいずれか一方のボス部２２ａが、撮像素子取付部２２および伝達アーム部材２６の他方の穴部２６ｃに挿入されるように伝達アーム部材２６を配置することにより、容易に、撮像素子取付部２２に対して伝達アーム部材２６を所定の位置に位置決めすることができる。
【００４３】
また、本実施形態では、上記のように、撮像素子取付部２２は位置決め用ボス部２２ａを含み、伝達アーム部材２６は位置決め用穴部２６ｃを含み、位置決め用ボス部２２ａが位置決め用穴部２６ｃに挿入されることで位置決めされるように構成することによって、位置決め用ボス部２２ａと位置決め用穴部２６ｃとにより、撮像素子取付部２２と伝達アーム部材２６とを所定の位置に位置決めした状態で、撮像素子取付部２２に伝達アーム部材２６を容易に取り付けることができる。
【００４４】
また、本実施形態では、上記のように、位置決め用ボス部２２ａおよび位置決め用穴部２６ｃを含む撮像装置において、好ましくは、位置決め用ボス部２２ａは、第１位置決め用ボス部２２１ａおよび第２位置決め用ボス部２２１ｂを含み、位置決め用穴部２６ｃは、真円形状の第１位置決め用穴部２６１ａおよび楕円形状の第２位置決め用穴部２６１ｂを含み、第１位置決め用穴部２６１ａおよび第２位置決め用穴部２６１ｂは、それぞれ第１位置決め用ボス部２２１ａおよび第２位置決め用ボス部２２１ｂに挿入され、第２位置決め用穴部２６１ｂは、第１位置決め用穴部２６１ａと第２位置決め用穴部２６１ｂとを結ぶ線上に沿って楕円状に延びるように形成することによって、第１位置決め用ボス部２２１ａおよび第２位置決め用ボス部２２１ｂの位置が、寸法精度のばらつきに起因して設計位置からずれた場合でも、第２位置決め用穴部２６１ｂを楕円形状に形成することによって、第２位置決め用ボス部２２１ｂの位置の設計位置に対するずれ量を吸収することができる。この結果、容易に位置決め用ボス部２２ａを位置決め用穴部２６ｃに挿入することができる。
【００４５】
また、本実施形態では、上記のように、伝達アーム部材２６を付勢するためのバネ部材２８をさらに備え、伝達アーム部材２６は、バネ部材２８の一方端を取り付けるためのバネ取付部２６ｈを含むことによって、バネ部材２８の一方端２８ａを伝達アーム部材２６のバネ取付部２６ｈに取り付けることができる。また、バネ部材２８の他方端２８ｂを他の部材のバネ取付部に取り付けることによって、伝達アーム部材２６が移動した際にバネ部材２８に加わる付勢力を利用して伝達アーム部材２６を移動させることができる。
【００４６】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４７】
たとえば、上記実施形態では、撮像装置の一例として、ビデオカメラを示したが、本発明はこれに限らず、ビデオカメラ以外の撮像装置にも適用可能である。
【００４８】
また、上記実施形態では、撮像素子取付部に位置決め用ボス部が設けられ、伝達アーム部材に位置決め用穴部が設けられる例を示したが、本発明はこれに限らず、撮像素子取付部に位置決め用穴部を設け、伝達アーム部材に位置決め用ボス部を設けてもよい。
【図面の簡単な説明】
【００４９】
【図１】本発明の一実施形態によるビデオカメラの全体構成を示す斜視図である。
【図２】本発明の一実施形態によるビデオカメラの全体構成を示す斜視図である。
【図３】本発明の一実施形態による撮像部を示す斜視図である。
【図４】本発明の一実施形態による撮像部を示す平面図である。
【図５】本発明の一実施形態による撮像部を示す分解斜視図である。
【図６】本発明の一実施形態による撮像部の一部を示す斜視図である。
【図７】本発明の一実施形態による撮像部の一部を示す平面図である。
【符号の説明】
【００５０】
１０        ビデオカメラ（撮像装置）
２２        撮像素子取付部
２２ａ      位置決め用ボス部（第１位置決め用係合部）
２５        撮像素子
２６        伝達アーム部材（伝達部材）
２６ｃ      位置決め用穴部（第２位置決め用係合部）
２６ｆ      ステッピングモータ（駆動源）
２７        ネジ部材
２８        バネ部材
２８ａ      バネ部材の一方端
２２１ａ    第１位置決め用ボス部（ボス部、第１ボス部）
２２１ｂ    第２位置決め用ボス部（ボス部、第２ボス部）
２６１ａ    第１位置決め用穴部（穴部、第１穴部）
２６１ｂ    第２位置決め用穴部（穴部、第２穴部）
【図１】
2009080355.tif 000003
【図２】
2009080355.tif 000004
【図３】
2009080355.tif 000005
【図４】
2009080355.tif 000006
【図５】
2009080355.tif 000007
【図６】
2009080355.tif 000008
【図７】
2009080355.tif 000009